(57)【要約】【課題】浴室内をサウナ環境にするまでの時間を短時間で行なうことができるサウナシステムを提供することを目的とする。【解決手段】加湿部７と加湿部７を制御するサウナ側制御部８を設けたサウナ装置９と、循環送風手段２と加熱手段３と、風向制御手段４および乾燥機側制御部５とを設けた浴室乾燥機１とを備え、浴室への入室前は風向制御手段４の設定を浴室の洗い場に向け、入室後は天井に向かうように設定することで、短時間で加湿された空気を浴室全体にむらなく行き渡らせ、最適な空気流路となるようにすることができるサウナシステムが得られる。【選択図】図３
2005185435.tif 000002
【特許請求の範囲】
【請求項１】
浴室の空気を循環する循環送風手段と、この循環送風手段の空気流路内の空気を加熱する加熱手段と、空気流路を可変する風向制御手段と、これら循環送風手段と加熱手段と風向制御手段を制御する乾燥機側制御部と、遠隔操作する遠隔操作手段を設けた浴室乾燥機と、浴室の空気を加熱、加湿する加湿部と、この加湿部を制御するサウナ側制御部を設けたサウナ装置を備え、前記乾燥機側制御部とサウナ側制御部を介して前記浴室乾燥機とサウナ装置を電気的に接続し、前記風向制御手段の設定によって、浴室内をサウナ環境にするまでの時間を短時間で行えるようにしたことを特徴とするサウナシステム。
【請求項２】
浴室内への人の入室を検知する検知手段を備えた請求項１記載のサウナシステム。
【請求項３】
浴室への入室前のサウナ環境（予備サウナ）運転時間を任意に設定するタイマー設定手段を備えた請求項１または２記載のサウナシステム。
【請求項４】
タイマー設定手段の時間が経過したことを知らせる表示手段を備えた請求項３記載のサウナシステム。
【請求項５】
浴室内環境を入浴者の好みに設定する浴室内環境設定手段と浴室内環境を検出する浴室内環境検知手段を備えた請求項１から４のいずれかに記載のサウナシステム。
【請求項６】
浴室内環境が設定された環境になったことを知らせる表示手段を備えた請求項５記載のサウナシステム。
【請求項７】
サウナ側制御部に接続される送信部と受信部で形成されたサウナ側送受信手段と、乾燥機側制御部に接続される送信部と受信部により形成された乾燥機側送受信手段とを備え、前記サウナ側送受信手段と前記乾燥機側送受信手段を介して前記浴室乾燥機とサウナ装置をワイヤレス通信ができるように構成した請求項１から６のいずれかに記載のサウナシステム。
【発明の詳細な説明】
【技術分野】
【０００１】
本発明は、浴室にサウナ装置と浴室乾燥機を設置したサウナシステムの風向制御に関する。
【背景技術】
【０００２】
従来、この種のサウナ装置の一例として浴室を利用してサウナルームとして兼用するものが知られている（例えば特許文献１参照）。
【０００３】
以下、そのサウナ装置について図１０および図１１を参照しながら説明する。
【０００４】
図に示すように、外装体１０１の内部に複数の湯噴出口１０２を有する噴出湯管１０３が上部に配置され、噴出湯管１０３の下部に複数の薄板１０４とパイプ状の連結部材１０５で形成される熱交換促進部材１０６が配置され、さらにその下部にファンユニット１０７が配置されている。
【０００５】
そして、湯噴出口１０２から熱交換促進部材１０６上に噴出された温水の一部が蒸発して発生する水蒸気を、ファンユニット１０７によって空気吸入口１０８から吸引された空気に供給し、スチーム吹出口１０９に集め、外部へ排出していたサウナ装置１１０を浴室１１１の壁部に設け、浴室１１１の天井に換気扇１１２を設けていた。
【特許文献１】特開平６−６３１０３号公報（図２、図３）
【発明の開示】
【発明が解決しようとする課題】
【０００６】
このような従来のサウナ装置では、サウナ空間を創り出すためにサウナ装置１１０のみを使用しているため、サウナ空間を効率的に創出できず、特に、温水状態を形成する立ち上がり性が悪いという課題があった。
【０００７】
本発明は、上記課題を解決するもので、立ち上がり性が良好で、使用時の気流感による冷風感を抑制し、浴室内をサウナ環境にするまでの時間を短時間で行うことのできるサウナシステムを提供することを目的としている。
【０００８】
また、入浴者は浴室がいつ最適なサウナ環境になったかがわからないため、浴室へ入室するタイミングが遅れ、サウナ環境のまま放置運転し、ランニングコストが高くなるという課題があった。
【０００９】
本発明は、上記課題を解決するもので、ランニングコストを削減することのできるサウナシステムを提供することを目的としている。
【課題を解決するための手段】
【００１０】
本発明のサウナシステムは、上記目的を達成するために、浴室の空気を循環する循環送風手段と、この循環送風手段の空気流路内の空気を加熱する加熱手段と、空気流路を可変する風向制御手段と、これら循環送風手段と加熱手段と風向制御手段を制御する乾燥機側制御部と、遠隔操作する遠隔操作手段を設けた浴室乾燥機と、浴室の空気を加熱、加湿する加湿部と、この加湿部を制御するサウナ側制御部を設けたサウナ装置を備え、前記乾燥機側制御部とサウナ側制御部を介して前記浴室乾燥機とサウナ装置を電気的に接続し、前記風向制御手段の設定によって、浴室内をサウナ環境にするまでの時間を短時間で行えるようにしたものである。
【００１１】
この手段によりサウナ環境になる立ち上がり性が良好で、使用時に気流感を感じることのないサウナシステムが得られる。
【００１２】
また、他の手段は、浴室内への人の入室を検知する検知手段を備えたものである。
【００１３】
この手段により空気流路を自動的に可変可能なサウナシステムが得られる。
【００１４】
また、他の手段は、浴室への入室前のサウナ環境（予備サウナ）運転時間を任意に設定するタイマー設定手段を備えた構成としたものである。
【００１５】
この手段により、サウナ環境になる立ち上がり時間を使用者の好みに合わせて任意に設定することができるサウナシステムが得られる。
【００１６】
また、他の手段は、タイマー設定手段の時間が経過したことを知らせる表示手段を備えた構成としたものである。
【００１７】
この手段により、入浴者が浴室がサウナ環境となったことを容易に確認できるので、必要以上に浴室への入室前のサウナ環境（予備サウナ）運転をすることがなくなり、ランニングコストを削減することができるサウナシステムが得られる。
【００１８】
また、他の手段は、浴室内環境を入浴者の好みに設定する浴室内環境設定手段と浴室内環境を検出する浴室内環境検知手段とを備えた構成としたものである。
【００１９】
この手段により、入浴者の好みに合わせたサウナ環境の設定が可能となるサウナシステムが得られる。
【００２０】
また、他の手段は、浴室内環境が設定された環境になったことを知らせる表示手段を備えた構成としたものである。
【００２１】
この手段により、入浴者が設定したサウナ環境となったことを容易に確認できるサウナシステムが得られる。
【００２２】
また、他の手段は、サウナ側制御部に接続される送信部と受信部で形成されたサウナ側送受信手段と、乾燥機側制御部に接続される送信部と受信部により形成された乾燥機側送受信手段とを備え、前記サウナ側送受信手段と前記乾燥機側送受信手段を介して前記浴室乾燥機とサウナ装置をワイヤレス通信ができるように構成したものである。
【００２３】
この手段により、通信が容易となり、施工性の良いサウナシステムが得られる。
【発明の効果】
【００２４】
本発明によれば、サウナ環境になる立ち上がり性が良好で、入浴時に気流感を感じることのないサウナシステムを提供できる。
【００２５】
また、空気流路を自動的に可変可能なサウナシステムを提供できる。
【００２６】
また、サウナ環境になる立ち上がり時間を入浴者の好みに合わせて任意に設定することができるサウナシステムを提供できる。
【００２７】
また、入浴者が浴室がサウナ環境となったことを容易に確認でき、ランニングコストを削減することができるサウナシステムを提供できる。
【００２８】
また、入浴者の好みに合わせたサウナ環境の設定が可能となるサウナシステムを提供できる。
【００２９】
また、入浴者が設定したサウナ環境となったことを容易に確認できるサウナシステムを提供できる。
【００３０】
また、施工性の良いサウナシステムを提供できる。
【発明を実施するための最良の形態】
【００３１】
本発明の請求項１記載の発明は、浴室の空気を循環する循環送風手段と、この循環送風手段の空気流路内の空気を加熱する加熱手段と、空気流路を可変する風向制御手段と、これら循環送風手段と加熱手段と風向制御手段を制御する乾燥機側制御部と、遠隔操作する遠隔操作手段を設けた浴室乾燥機と、浴室の空気を加熱、加湿する加湿部と、この加湿部を制御するサウナ側制御部を設けたサウナ装置を備え、前記乾燥機側制御部とサウナ側制御部を介して前記浴室乾燥機とサウナ装置を電気的に接続し、前記風向制御手段の設定によって、浴室内をサウナ環境にするまでの時間を短時間で行えるようにしたものであり、サウナ室状態になる立ち上がり性が向上し、入浴時の気流感を感じないという作用を有する。
【００３２】
また、請求項２記載の発明は、浴室内への人の入室を検知する検知手段を備えたものであり、空気流路を自動的に可変できるという作用を有する。
【００３３】
また、請求項３記載の発明は、浴室への入室前のサウナ環境（予備サウナ）運転時間を任意に設定するタイマー設定手段を備えたものであり、サウナ環境になる立ち上がり時間を使用者の好みに合わせて任意に設定できるという作用を有する。
【００３４】
また、請求項４記載の発明は、タイマー設定手段の時間が経過したことを知らせる表示手段を備えたものであり、入浴者が浴室がサウナ環境となったことを容易に確認できるという作用を有する。
【００３５】
また、請求項５記載の発明は、浴室内環境を入浴者の好みに設定する浴室内環境設定手段と浴室内環境を検出する浴室内環境検知手段を備えたものであり、入浴者の好みに合わせたサウナ環境が設定できるという作用を有する。
【００３６】
また、請求項６記載の発明は、浴室内環境が設定された環境になったことをお知らせする表示手段を備えたものであり、入浴者が設定したサウナ環境となったことを容易に確認できるという作用を有する。
【００３７】
また、請求項７記載の発明は、サウナ側制御部に接続される送信部と受信部で形成されたサウナ側送受信手段と、乾燥機側制御部に接続される送信部と受信部により形成された乾燥機側送受信手段とを備え、前記サウナ側送受信手段と前記乾燥機側送受信手段を介して前記浴室乾燥機とサウナ装置をワイヤレス通信ができるように構成したものであり、施工性が良いという作用を有する。
【００３８】
以下、本発明の実施形態について図面を参照しながら説明する。
【００３９】
（実施の形態１）
図１〜図３に示すように、浴室の天井に設置した浴室乾燥機１内に、浴室内の空気を循環送風するための循環送風手段２と、この循環送風手段２の空気流路上に設け、浴室内の循環する空気を加熱するように設けられた加熱手段３と、循環送風手段２の空気流路を可変するための風向制御手段４と、これら循環送風手段２、加熱手段３、風向制御手段４を制御する乾燥機側制御部５と、この浴室乾燥機の運転制御を行うための遠隔操作手段６を設けている。
【００４０】
また、浴室の天井に設置した浴室乾燥機１の近傍に設けたサウナ装置９内に、浴室内の空気を加熱、加湿するための加湿部７と、サウナ側制御部８を設け、サウナ側制御部８は乾燥機側制御部５からの指令で加湿部７を制御するように浴室乾燥機１と電気的に接続されている。
【００４１】
上記構成により、サウナ浴運転を行うときには、まず、浴室への入室前のサウナ環境にするための運転（以下、予備サウナ運転と称す）として、遠隔操作手段６を操作してサウナ運転信号を乾燥機側制御部５へ送信する。そして、この乾燥機側制御部５がその信号を受信すると、浴室乾燥機１は浴室内の空気を加熱するために、加熱手段３により加熱された空気を循環送風手段２によって送風し、浴室内の暖房を開始する。この時風向制御手段４の設定を、例えば浴室内の洗い場へ向かうように設定する。
【００４２】
また、同時に乾燥機側制御部５は、サウナ装置９内のサウナ側制御部８にサウナ浴運転信号を送信し、この信号を受信した、サウナ側制御部８は加湿部７の運転を開始し、浴室内の加湿を開始する。
【００４３】
そして、サウナ浴を行うときには、遠隔操作手段６を操作することで、浴室内への人の入室を判断し、予備サウナ運転から、入浴サウナ運転へ変更するために、風向制御手段４の設定を、例えば浴室内の天井へ向かうように設定する。こうすることにより、気流が入浴者にあたらず、冷風感や不快感を防止することができ、サウナ装置９にて加熱、加湿された空気と、浴室乾燥機１で加熱された空気を浴室全体にむらなく行き渡らせ、最適な空気流路となるようにでき、立ち上がり時間を短縮することができる（図１、図２参照）。
【００４４】
なお、本実施の形態１では、浴室乾燥機１とサウナ装置９を分離したものをサウナシステムとしたが、一つの箱体内に浴室乾燥機１とサウナ９装置を一体的に設けても同様の作用効果をもたらすことは言うまでもない。
【００４５】
（実施の形態２）
図４に示すように、乾燥機側制御部５Ａに接続される、浴室への人の入室を検知する検知手段１０を設け浴室乾燥機１Ａを構成する。
【００４６】
上記構成により、サウナ浴運転を行うときには、遠隔操作手段６を操作することで、予備サウナ運転として浴室乾燥機１Ａは浴室内の暖房を開始し、サウナ装置９は浴室内の加湿を開始する。
【００４７】
この時風向制御手段４は、サウナ装置９にて加熱、加湿された空気と、浴室乾燥機１Ａで加熱された空気を浴室全体にむらなく行き渡らせるように、最適な空気流路となるように、例えば浴室内の洗い場へ向かうように設定することで、立ち上がり時間が短縮することになる。
【００４８】
そして、サウナ浴を行うときには、浴室内への人の入室を検知手段１０が検知すると、予備サウナ運転から、入浴サウナ運転へ変更するために、風向制御手段４により空気流路を入浴者への気流を感じることのない方向へ設定することで、入浴者への冷風感や不快感を防止することができる。
【００４９】
なお、検知手段は浴室内への人の入室を検知できれば何でもよく、例えば、浴室内の照明ＳＷが操作されたことを検知してもよく、人感センサーなどでも同様の作用効果をもたらすことはいうまでもない。
【００５０】
（実施の形態３）
図５に示すように、乾燥機側制御部５Ｂと接続される、予備サウナ運転の時間を設定するタイマー設定手段１１を設け浴室乾燥機１Ｂを構成する。
【００５１】
上記構成により、サウナ浴運転を行うときには、遠隔操作手段６を操作することで、予備サウナ運転として浴室乾燥機１Ａは浴室内の暖房を開始し、サウナ装置９は浴室内の加湿を開始する。
【００５２】
この時風向制御手段４は、サウナ装置９にて加熱、加湿された空気と、浴室乾燥機１Ｂで加熱された空気を浴室全体にむらなく行き渡らせるように、最適な空気流路となるように、例えば浴室内の洗い場へ向かうように設定することで、立ち上がり時間が短縮することになる。
【００５３】
そして、タイマー設定手段１１により、予備サウナ運転時間を入浴者の好みにより任意に設定する。そして、タイマー設定手段１１によって設定された時間が経過すると、予備サウナ運転から、入浴サウナ運転へ自動的に変更し、風向制御手段４により空気流路が入浴者への気流を感じることのない方向へ設定されるため、入浴者が浴室内への入室時に入浴サウナ運転への切り替え操作をする必要がない。
【００５４】
なお、本実施の形態３では、タイマー設定手段より先に遠隔操作手段を操作したが、タイマー設定手段を先に操作してもよく、同様の作用効果をもたらすことはいうまでもない。
【００５５】
なお、本実施の形態３では、タイマー設定手段と遠隔制御手段が分離したものを記載しているが、一つの制御手段としてタイマー設定手段と遠隔制御手段が一体となるように構成しても同様の作用効果をもたらすことはいうまでもない。
【００５６】
また、本実施の形態３では、予備サウナ運転の設定時間は、任意の時間が設定できるとしているが、あらかじめ決められた最低設定時間以下には設定できないようにすることで、入浴者に快適なサウナ浴を提供できる。
【００５７】
（実施の形態４）
図６に示すように、乾燥機側制御部５Ｃと接続される表示手段１２を設け、タイマー設定手段１１によって設定された時間が経過したことを知らせるように浴室乾燥機１Ｃを構成する。
【００５８】
上記構成により、タイマー設定手段１１によって設定された予備サウナ運転時間が経過すると、入浴サウナ運転へ自動的に変更し、空気流路が入浴者への気流を感じることのない方向へ設定されるため、入浴者が浴室内への入室時に、入浴サウナ運転への切り替え操作をすることなく冷風感や不快感を防止することができる。
【００５９】
そして、同時に表示手段１２により予備サウナ運転が終了したことを、例えば音声や光によって入浴者に知らせることで、必要以上に予備サウナ運転をすることがなくなり、ランニングコストを削減することができる。
【００６０】
なお、本実施の形態４では、表示手段と遠隔制御手段が分離したものを記載しているが、表示手段と遠隔制御手段が一体となるように構成しても同様の作用効果をもたらすことはいうまでもない。
【００６１】
（実施の形態５）
図７に示すように、乾燥機側制御部５Ｄに接続される、浴室内サウナ環境を設定する浴室内環境設定手段１３と浴室内サウナ環境を検出する浴室内環境検知手段１４を設け浴室乾燥機１Ｄを構成する。
【００６２】
上記構成により、サウナ浴運転を行うときには、浴室内環境設定手段１３にて入浴者の好みの環境に例えば温度や湿度を設定する。
【００６３】
そして、遠隔操作手段６を操作することで、浴室内環境設定手段１３で設定した環境に達するまで予備サウナ運転として浴室乾燥機１Ｄは浴室内の暖房を開始し、サウナ装置９は浴室内の加湿を開始する。
【００６４】
このときの風向制御手段４は、サウナ装置９にて加熱、加湿された空気と、浴室乾燥機１Ｄで加熱された空気を浴室全体にむらなく行き渡らせるように最適な空気流路となるように、例えば浴室内の洗い場へ向かって風向制御手段４を設定することで、立ち上がり時間が短縮することになる。
【００６５】
そして、浴室内環境検知手段１４によって検出された浴室内環境が、浴室内環境設定手段１３により設定された環境になると、入浴サウナ運転へ自動的に変更し、空気流路が入浴者への気流を感じることのない方向へ設定されるため、入浴者が浴室内への入室時に、入浴サウナ運転への切り替え操作をすることなく冷風感や不快感を防止することができる。
【００６６】
そして、浴室内環境を入浴者の好みの設定にできるため、常に入浴者に快適な浴室サウナ環境が提供できる。
【００６７】
なお、本実施形態５では、遠隔操作手段より先に浴室内環境設定手段を操作したが、遠隔操作手段を先に操作してもよく、同様の作用効果をもたらすことはいうまでもない。
【００６８】
なお、本実施形態５では、浴室内環境設定手段と遠隔制御手段が分離したものを記載しているが、一つの制御手段として浴室内環境設定手段と遠隔制御手段が一体となるように構成しても同様の作用効果をもたらすことはいうまでもない。
【００６９】
また、本実施の形態５では、浴室環境を検出する浴室内環境検知手段を乾燥機側制御部に接続して構成したが、サウナ側制御部に接続して構成しても同様の作用効果をもたらすことはいうまでもない。
【００７０】
（実施の形態６）
図８に示すように、乾燥機側制御部５Ｅと接続される表示手段１２Ａを設け、浴室内環境が浴室内環境設定手段１３により設定されたサウナ環境に達したことを知らせるように浴室乾燥機１Ｅを構成する。
【００７１】
上記構成により、サウナ浴運転を行うときには、浴室内環境設定手段１３を設定し、遠隔操作手段６を操作することで、予備サウナ運転を開始する。
【００７２】
そして、浴室内環境が浴室内環境設定手段１３により設定された環境になると、予備サウナ運転から入浴サウナ運転へ自動的に変更し、空気流路が入浴者への気流を感じることのない方向へ設定されるため、浴室内への入室時に、入浴サウナ運転への切り替え操作をすることなく入浴者への冷風感や不快感を防止することができる。そして同時に、浴室内環境設定手段１３にて設定された浴室内環境になったことを表示手段１２Ａにてお知らせすることで、ランニングコストを削減しつつ、常に入浴者に快適な浴室サウナ環境が提供できる。
【００７３】
なお、本実施の形態６では、遠隔操作手段より先に浴室内環境設定手段を設定したが、遠隔操作手段を先に設定してもよく、同様の作用効果をもたらすことはいうまでもない。
【００７４】
なお、本実施の形態６では、表示手段を乾燥機側制御部に接続しているが、サウナ側制御部に接続しても同様の作用効果をもたらすことはいうまでもない。
【００７５】
（実施の形態７）
図９に示すように、サウナ側制御部８Ａに接続される送信部１９と受信部２０で形成されたサウナ側送受信手段２１と、乾燥機側制御部５Ｆに接続される送信部１９Ａと受信部２０Ａにより形成された乾燥機側送受信手段２２とを設け、サウナ側送受信手段２１と乾燥機側送受信手段２２を介して浴室乾燥機１Ｆとサウナ装置９Ａをワイヤレス通信ができるように構成する。
【００７６】
上記構成により、浴室乾燥機１Ｆとサウナ装置９Ａを設置するときには、サウナ側制御部８Ａと接続されたサウナ側送受信手段２１と、乾燥機側制御部５Ｆと接続された乾燥機側送受信手段２２によりワイヤレス通信が行なわれることにより、有線による電気的接続を行なう必要がなくなり施工性が高められる。
【産業上の利用可能性】
【００７７】
サウナ装置と換気扇等を組み合わせることにより、ある程度の湿気を必要とする野菜等の栽培や、きのこ類の栽培分野等にも適用できる。
【図面の簡単な説明】
【００７８】
【図１】本発明の実施の形態１のサウナシステムの室内温度分布図
【図２】同サウナシステムの室内風速分布図
【図３】同サウナシステムの構成を示すブロック図
【図４】本発明の実施の形態２のサウナシステムの構成を示すブロック図
【図５】本発明の実施の形態３のサウナシステムの構成を示すブロック図
【図６】本発明の実施の形態４のサウナシステムの構成を示すブロック図
【図７】本発明の実施の形態５のサウナシステムの構成を示すブロック図
【図８】本発明の実施の形態６のサウナシステムの構成を示すブロック図
【図９】本発明の実施の形態７のサウナシステムの構成を示すブロック図
【図１０】従来のスチームサウナ装置の設置状態を示す斜視図
【図１１】同スチームサウナ装置の断面図
【符号の説明】
【００７９】
１      浴室乾燥機
１Ａ    浴室乾燥機
１Ｂ    浴室乾燥機
１Ｃ    浴室乾燥機
１Ｄ    浴室乾燥機
１Ｅ    浴室乾燥機
１Ｆ    浴室乾燥機
２      循環送風手段
３      加熱手段
４      風向制御手段
５      乾燥機側制御部
５Ａ    乾燥機側制御部
５Ｂ    乾燥機側制御部
５Ｃ    乾燥機側制御部
５Ｄ    乾燥機側制御部
５Ｅ    乾燥機側制御部
５Ｆ    乾燥機側制御部
６      遠隔操作手段
７      加湿部
８      サウナ側制御部
８Ａ    サウナ側制御部
９      サウナ装置
９Ａ    サウナ装置
１０    検知手段
１１    タイマー設定手段
１２    表示手段
１２Ａ  表示手段
１３    浴室内環境設定手段
１４    浴室内環境検知手段
１９    送信部
１９Ａ  送信部
２０    受信部
２０Ａ  受信部
２１    サウナ側送受信手段
２２    乾燥機側送受信手段
【図１】
2005185435.tif 000003
【図２】
2005185435.tif 000004
【図３】
2005185435.tif 000005
【図４】
2005185435.tif 000006
【図５】
2005185435.tif 000007
【図６】
2005185435.tif 000008
【図７】
2005185435.tif 000009
【図８】
2005185435.tif 000010
【図９】
2005185435.tif 000011
【図１０】
2005185435.tif 000012
【図１１】
2005185435.tif 000013